(57)【特許請求の範囲】
【請求項１】
中央部と、前記中央部の側端に一体に連結形成され、外側方向に延長形成される延長部とからなるパッドと、前記中央部の上端から垂直方向に形成される連結部と、前記パッドの延長部の下部面に付着した粘着性の吸着バンドと、を備え、前記パッドは、付着対象面に接触した状態で、下方向へ外力を受けた後、その外力が解除すると、上方向への復元力を有するように形成され、
前記吸着バンドの下部面の外周縁に沿って下方に突出する円形リング状の突出部が形成されており、
前記延長部の上部面には、前記中央部と前記延長部との境界部分に、前記パッドの復元力のための円形切開溝が形成されており、
前記パッドの延長部の上部面及び下部面の少なくとも一つの面には、前記パッドの復元力のための複数の線形切開溝が前記パッドの外周縁に向かって放射状に形成されており、
前記吸着バンドは、上部面が前記パッドの延長部に付着した状態で、下部面が水平であることを特徴とする吸着板。
【発明の詳細な説明】
【技術分野】
【０００１】
本発明は、据置台用の吸着板に関し、特に、下部面の外郭に沿って吸着バンドが付着したパッドが、付着対象面に接触した状態で、下方向へ外力を受けた後、この外力が解除されると、上方向に復元力を有するように構成し、使用者がパッドを付着対象面に加圧してから離すと、前記パッドの外郭部分は、吸着バンドにより、付着対象面に付着固定され、吸着バンドが付着していない中央部分は、復元力により上方向へ盛り上がるようにすることにより、前記パッドの中央部分と付着対象面との間に真空状態が発生し、パッドを付着対象面に強く付着させることができる据置台用の吸着板に関する。
【背景技術】
【０００２】
最近、車両には、ナビゲーター、小型コンピュータ、コップ受け台、携帯電話スタンド、及び便宜品を装着するための様々な据置台が用いられている。また、家庭において用いられるタオル等の多様な必須品を掛けるために、様々な据置台が用いられている。
【０００３】
このように用いられる据置台は、車両の外観または建物の室内壁等を損傷させないながら物品を結合するために、吸盤の原理を用いた吸着板を用いており、吸着板をガラスや胴体に容易に付着させるために、作動レバーを用いて、吸着板の中心部を引っ張る方式を用いている。
【０００４】
車両に用いられる据置台の例を挙げると、通常の据置台用の吸着板は、作動レバーを用いて、吸着板の中心部を引っ張っていないときは、車両に付着せず、作動レバーを引っ張らなければ、ナビゲーター、ＬＣＤ、及びその他の便宜品を車両に据え置くことができない。これは、吸着板が透明なゴムまたはプラスチックで形成され、作動レバーにより発生する圧着力によってのみ、ガラスや車両の胴体に付着するように作られるからである。
【０００５】
このように、従来の据置台は、作動レバーを用いて、吸着板がガラス等に付着するように構成されるので、全体の構成が複雑であり、製造のための費用、時間、及び手間が必要以上にかかるという問題点を有している。
【０００６】
しかも、据置台をガラス等に付着するためには、作動レバーを動作させなければならないので、使用者の使い勝手が劣るという問題点を有している。
【発明の概要】
【発明が解決しようとする課題】
【０００７】
本発明は、上記問題点に鑑みなされたものであり、その目的は、下部面の外郭に沿って吸着バンドが付着したパッドが、付着対象面に接触した状態で、下方向へ外力を受けた後、この外力が解除されると、上方向に復元力を有するように構成し、使用者がパッドを付着対象面に加圧してから離すと、前記パッドの外郭部分は、吸着バンドにより、付着対象面に付着固定され、吸着バンドが付着していない中央部分は、復元力により上方向へ盛り上がるようにすることにより、前記パッドの中央部分と付着対象面との間に真空状態が発生し、パッドを付着対象面に強く付着させることができる吸着板を提供することにある。
【０００８】
本発明の他の目的は、パッドの下部面の外郭部分に付着した吸着バンドの下部面が、水平または傾斜した状態となるように形成させ、吸着バンドの下部面には、下方向に突出した突出部が設けられ、前記パッドが前記付着対象面に載せられた状態で、前記吸着バンドが付着対象面に付着する付着面が最小となるようにすることにより、前記パッドの上部から下方向へ外力が加えられる瞬間、前記パッドと付着対象面との間の空間に存在する空気が外部に抜け出やすくし、前記パッドの中央部分と付着対象面との間に真空状態を容易に発生させることができる吸着板を提供することにある。
【０００９】
本発明のまた他の目的は、付着対象面に押し当てて加圧した後、加圧力を解除すると、自ら上方向に復元され、パッドの付着対象面との間に真空状態が発生するので、使用上の便宜を与えることができる吸着板を提供することにある。
【課題を解決するための手段】
【００１０】
上述した目的を達成するために、本発明による吸着板をなす構成手段は、中央部と、前記中央部の側端に一体に連結形成され、外側方向に延長形成される延長部とからなるパッドと、前記中央部の上端から垂直方向に形成される連結部と、前記パッドの延長部の下部面に付着した粘着性の吸着バンドと、を備え、前記パッドは、付着対象面に接触した状態で、下方向へ外力を受けた後、その外力が解除すると、上方向への復元力を有するように形成されることを特徴とする。
【００１１】
ここで、前記パッドの延長部の上部面及び下部面の少なくとも一つの面には、前記パッドの復元力のための切開溝が形成されることを特徴とする。
【００１２】
また、前記吸着バンドは、上部面が前記パッドの延長部に付着した状態で、その下部面が水平または傾斜した状態であることを特徴とする。
【発明の効果】
【００１３】
上述した課題及び構成を有する本発明の吸着板によると、下部面の外郭に沿って吸着バンドが付着したパッドが、付着対象面に接触した状態で、下方向へ外力を受けた後、この外力が解除されると、上方向に復元力を有するように構成し、使用者がパッドを付着対象面に加圧してから離すと、前記パッドの外郭部分は、吸着バンドにより、付着対象面に付着固定され、吸着バンドが付着していない中央部分は、復元力により上方向へ盛り上がるようにするので、前記パッドの中央部分と付着対象面との間に真空状態が発生し、パッドを付着対象面に強く付着させることができる長所がある。
【００１４】
また、パッドの下部面の外郭部分に付着した吸着バンドの下部面が、水平または傾斜した状態となるように形成させ、吸着バンドの下部面には、下方向に突出した突出部が設けられ、前記パッドが前記付着対象面に載せられた状態で、前記吸着バンドが付着対象面に付着する付着面が最小となるようにするので、前記パッドの上部から下方向へ外力が加えられる瞬間、前記パッドと付着対象面との間の空間に存在する空気が外部に抜け出やすくし、前記パッドの中央部分と付着対象面との間に真空状態を容易に発生させることができる長所がある。
【００１５】
また、付着対象面に押し当てて加圧した後、加圧力を解除すると、自ら上方向に復元され、パッドと付着対象面との間に真空状態が発生するので、使用上の便宜を与えることができる長所がある。
【図面の簡単な説明】
【００１６】
【図１】本発明の実施例による吸着板の概略的な断面図である。
【図２】本発明の実施例による吸着板の斜視図である。
【図３】本発明の実施例による吸着板の底面図である。
【図４】本発明の実施例による吸着板の切開図である。
【図５】本発明の実施例による吸着板の断面図である。
【発明を実施するための形態】
【００１７】
以下、添付した図面に基づき、上述した課題、解決手段、及び効果を有する本発明である吸着板の好適な実施例について詳述する。
【００１８】
この過程において、図示された構成要素の大きさや形状等は、説明の明瞭性と便宜のために、誇張して図示され得る。また、本発明の構成及び作用を考慮して、特に定義された用語は、使用者、運用者の意図、または慣例により異なり得る。このような用語についての定義は、本明細書の全般にわたった内容に基づいて定められなければならない。
【００１９】
図１乃至図４に示すように、本発明の実施例による吸着板は、パッド１０と、前記パッド１０の外郭の下部面に付着した吸着バンド３０と、前記パッド１０の上端から垂直方向に形成される連結部５０と、で構成される。
【００２０】
前記パッド１０は、全体として円板状を有し、中央部分（中央部１１）が水平（図１参照）または上方に盛り上がった形状（図２乃至図４参照）を有し、中央部分以外の部分、すなわち、中央部分（中央部１１）を除いた外郭部分（延長部１３）は、傾斜した形状（図１参照）または水平な形状（図２乃至図４参照）を有する。
【００２１】
具体的に、前記パッド１０は、中央部分に該当する中央部１１と、前記中央部１１の側端に一体に連結形成され、外側方向に延長形成される延長部１３と、で構成される。
【００２２】
前記中央部１１は、前記パッド１０の中央部分に形成され、図１に示すように、水平状態となるように形成され、または、図２乃至図４に示すように、上方向に膨らんだ形状を有するように形成されてもよい。
【００２３】
前記中央部１１が、水平形状に形成される場合は、全体として円板状を有し、膨らんだ形状に形成される場合は、全体として半球状を有する。このような形状を有する中央部１１の端部（円弧部）、すなわち、側端には前記延長部１３が一体に連結される。
【００２４】
前記中央部１１の側端には、前記延長部１３が一体に形成される。すなわち、前記延長部１３は、前記中央部１１の側端に一体形成されるが、外側方向に水平または傾斜して延長形成される。前記延長部１３は、図１に示すように、前記中央部１１の側端から傾斜して延長形成されてもよく、図２乃至図４に示すように、前記中央部１１の側端から水平に延長形成されてもよい。
【００２５】
前記中央部１１と延長部１３で構成される前記パッド１０は、前記モールド等を通じて、一度に同時に形成されるので、前記中央部１１と前記延長部１３は、同一の材質で形成され、一体に形成される。
【００２６】
ところで、前記パッド１０は、基本的に硬い性質を有するが、上下方向に弾性力を有してもよい材質で形成され、弾性力を発揮可能な構造を有することが好ましい。
【００２７】
具体的に、前記パッド１０は、付着対象面（図１及び図５において「ｓ」と示される）に接触した状態で、下方向へ外力を受けた後、その外力が解除されると、上方向に復元力を有するように形成される。すなわち、前記パッド１０は、使用者により、下方向に押圧されてから離すと、中央部分が上方向に上昇可能な構造、すなわち、中央部分が上方向に復元力が発生される構造で形成される。
【００２８】
このように、前記パッド１０が上方向に復元力を有するように形成されるので、前記吸着板を付着対象面ｓに加圧してから離すと、前記中央部分が上方向に上昇するようになる。したがって、前記吸着板の中央部分、すなわち、中央部１１と付着対象面ｓとの間に真空空間が形成される。これについては、さらに後述する。
【００２９】
このように構成されるパッド１０の上端、具体的に、前記パッド１０の中央部１１の上端には、連結部５０が形成される。すなわち、前記連結部５０は、前記中央部１１の上端から垂直方向に形成される。
【００３０】
前記パッド１０の中央部１１の上部の中央部分から垂直方向に形成される連結部５０は、多様な据置台の胴体部分が結合される部分に該当する。したがって、前記連結部５０は、前記多様な据置台の胴体部分の形状により、多様な構造及び形状に形成されてもよい。例えば、前記据置台が、スマートフォンが据え置かれる車両用の据置台である場合、前記連結部５０は、前記車両用の据置台のクレードルが結合可能な結合構造で形成されてもよい。
【００３１】
一方、前記パッド１０の下部面には、前記吸着板が前記付着対象面ｓに強く結合されるように、吸着バンド３０が付着形成される。具体的に、前記吸着バンド３０は、前記パッド１０の延長部１３の下部面に付着した粘着性の吸着バンドに該当する。
【００３２】
上述のように、前記パッド１０の中央部分、すなわち、中央部１１が上方向に復元されるように形成することにより、前記パッド１０とガラス等の付着対象面ｓとの間において、真空状態を発生させるためには、前記パッド１０と付着対象面ｓとの間に空気が流入することを遮断しなければならない。
【００３３】
このため、前記パッド１０の下部面には、ボンドジェル（ＢＯＮＤ  ＧＥＬ）材質で形成され、付着面に強く吸着され、外部からの空気流入を遮断可能な吸着バンド３０が付着する。
【００３４】
前記吸着バンド３０は、粘着性の軟質物質を前記パッド１０の中央部分、すなわち中央部１１を除いた残りの部分、すなわち、延長部１３の下部面にのみ直接塗布して形成し、または、成形された粘着性の軟質製品を前記パッド１０の中央部分（中央部１１）を除いた残りの部分（延長部１３の下部面）にのみ付着して形成してもよい。具体的に、前記吸着バンド３０は、前記パッド１０の下部面に付着するが、前記パッド１０の中央部１１を除いた残りの部分、すなわち、延長部１３の下部面に円形の帯状に付着する。
【００３５】
上記のように、前記パッド１０は、上方向に復元力を有するように、中央部分に中央部１１を形成し、延長部１３の下部面にのみ吸着バンド３０を付着形成させる。また、外力により下方向に沈み、外力を解除すると、上方向に復元される構造を有する。ここで、前記パッド１０は、外力により折り曲げられる材質で形成されることが好ましい。
【００３６】
前記吸着バンド３０が、前記延長部１３の下部面にのみ付着形成され、前記パッド１０が外力により折り曲げられるので、本発明による吸着板を付着対象面ｓに接触させ、外力を加えると、前記パッド１０の中央部１１が外力により下方向に沈み、外力を解除すると上方向に復元される。
【００３７】
若し、前記パッド１０が硬過ぎる性質を有すれば、外力により下方向に沈み難くなり、しかも、下方向に沈んでも、弾性力がなく、上方向への復元力を発揮しなくなる。
【００３８】
したがって、本発明による前記パッド１０には、下方向に沈むとともに、上方向に復元力を発生させるように、切開溝を、前記パッド１０の延長部１３の上部面にのみ、または下部面にのみ、または上部面及び下部面の全てに形成させてもよい。すなわち、前記パッド１０の延長部１３の上部面及び下部面の少なくとも一つの面には、前記パッド１０の復元力のための切開溝１３ａ、１３ｂが形成される。
【００３９】
前記パッド１０の延長部１３の下部面には、前記吸着バンド３０が付着形成されるので、前記切開溝は、前記パッド１０の延長部１３の上部面に形成されてもよい。しかし、前記切開溝が、前記吸着バンド３０の形成において妨げとならないときは、美観のために、外部に露出しないように、前記パッド１０の延長部１３の下部面にのみ形成させてもよい。勿論、必要に応じて、延長部１３の上部面及び下部面の全てに、前記切開溝を形成させてもよい。
【００４０】
前記切開溝は、多様な位置に多様な構造で形成されてもよい。但し、前記切開溝は、前記中央部１１の側端（円弧端）に沿って前記延長部１３に形成される円形切開溝１３ａを必ず含むことが好ましい。すなわち、前記中央部１１の側端に隣接した前記延長部１３の上部面または下部面、または上下部面に円形状の円形切開溝１３ａを形成させることが好ましい。
【００４１】
前記円形切開溝１３ａが、前記吸着バンド３０が付着形成されていない中央部１１と、前記吸着バンド３０が付着形成される延長部１３との境界部分に形成されるので、前記パッド１０が少しハードな材質で形成されても、外力により下方向に沈み、外力を除去すると、さらに上方向に復元力を発揮することができる。
【００４２】
一方、前記切開溝は、前記円形切開溝１３ａのみならず、多様な箇所に多様な形状に形成される線形切開溝１３ｂをさらに含んでもよい。前記線形切開溝１３ｂは、前記硬い性質を有してもよい前記パッド１０の上下方向の弾性力のみならず、下方向に加えられた外力を除去したとき、前記パッド１０の中央部分が上方向に復元力を発揮することができれば、多様な部分に多様な形状に形成されてもよい。
【００４３】
図２及び図４では、前記線形切開溝１３ｂが前記円形切開溝１３ａに直交するように形成される。前記線形切開溝１３ｂは、前記パッド１０の延長部１３が変形し難いように、前記円形切開溝１３ａに並んだ方向ではなく、直交する方向に形成されることが好ましい。すなわち、前記線形切開溝１３ｂが前記円形切開溝１３ａの円弧に接する方向、すなわち、接線方向に形成されると、前記パッド１０の延長部１３が上下変形しやすく、復元力が劣るので、前記線形切開溝１３ｂは、前記円形切開溝１３ａに直交する方向に形成されることが好ましい。
【００４４】
前記吸着バンド３０は、その上部面が前記パッド１０の延長部１３に付着した状態で、その下部面が図１の（ａ）に示すように、水平な状態（加圧前の付着対象面ｓに水平な状態）を維持し、または図１の（ｂ）に示すように、傾斜した状態（加圧前の付着対象面ｓに傾斜した状態）を維持してもよい。
【００４５】
このように、前記吸着バンド３０は、付着対象面ｓに付着する前の状態をみると、その下部面に水平または傾斜した状態となるように形成されてもよい。
【００４６】
前記吸着バンド３０が、図１の（ｂ）に示すように、その下部面が傾斜した状態となるように前記延長部１３の下部面に付着され、図５に示すように、前記吸着板を前記付着対象面ｓに接触させると、一応、前記吸着バンド３０の最外郭部分のみが前記付着対象面ｓに接触した状態となる。
【００４７】
この状態で、使用者が前記吸着板を前記付着対象面ｓに向かって加圧する。すると、この加圧過程で、前記パッド１０と前記付着対象面ｓとの間に存在する空気は、前記パッド１０と前記付着対象面ｓとの間の微細な隙間から外部に排出される。
【００４８】
以降、使用者が吸着バンド３０が付着した前記延長部１３をさらに加圧し、前記吸着バンド３０を前記付着対象面ｓに堅固に付着させた後、外力を除去すると、前記パッド１０は、上方向に復元力を発生させる。この過程で、前記中央部１１と前記付着対象面ｓとの間の空間に真空空間が形成される。結果として、前記吸着板は、前記付着対象面ｓに強く結合される。
【００４９】
一方、前記吸着板を前記付着対象面ｓに載せた状態で、前記付着対象面ｓに接触する吸着バンド３０の接触部分が大きくなると、外力により下方向へ加圧する過程で、前記パッド１０と付着対象面ｓとの間に存在する空気の外部流出が行われにくくなる。
【００５０】
前記吸着板が前記付着対象面ｓに載せた状態で、前記吸着バンド３０は、前記付着対象面ｓに最小の部分のみが接触した状態を維持することが好ましい。したがって、本発明による前記吸着バンド３０は、その下部面に円形リング状の突出部３１を有することが好ましい。図１の（ｂ）に示すように、前記吸着バンド３０の下部面が傾斜した状態に形成されると、付着対象面ｓに一番先に接触する外周縁の下側に、前記円形リングの突出部３１が形成されることが好ましい。
【００５１】
一方、前記吸着バンド３０が、図１の（ａ）に示すように、その下部面が水平状態となるように、前記延長部１３の下部面に付着した場合は、前記吸着板を前記付着対象面ｓに接触させると、前記吸着バンド３０の全面が全体的に前記付着対象面ｓに接触した状態となる。
【００５２】
この状態で、使用者が前記吸着板を前記付着対象面ｓに向かって加圧すると、この加圧状態で、前記パッド１０と前記付着対象面ｓとの間に存在する空気は、前記吸着バンド３０と付着対象面ｓとの間の微細な隙間から外部に排出される。
【００５３】
以降、使用者が吸着バンド３０が付着した前記延長部１３をさらに加圧し、前記吸着バンド３０を前記付着対象面ｓに堅固に付着させた後、外力を除去すると、前記パッド１０は、上方向に復元力を発生させる。この過程で、前記中央部１１と前記付着対象面ｓとの間の空間に真空空間が形成される。結果として、前記吸着板は、前記付着対象面ｓに強く結合される。
【００５４】
しかし、前記吸着バンド３０の下部面が水平な状態に形成される場合は、前記吸着板を前記付着対象面ｓに載せた状態で、前記付着対象面ｓに接触する吸着バンド３０の接触部分が大きいので、外力により下方向に加圧する過程で、前記パッド１０と付着対象面ｓとの間に存在する空気の外部流出が行われにくくなる。
【００５５】
したがって、この場合は、前記吸着バンド３０の下部面に円形リング状の突出部３１がさらに要求される。前記円形リング状の突出部３１は、前記水平状態の吸着バンド３０の下部面に形成されてもよいが、加圧により前記吸着バンド３０が前記付着対象面ｓに付着した後、前記吸着バンド３０の持ち上がり現象（付着対象面ｓから離隔する現象）を最小化するために、図５に示すように、前記吸着バンド３０の外周縁の下部面に沿って円形リング状に形成することが好ましい。
【００５６】
前記吸着バンド３０は、図１の（ｂ）に示すように、下部面が傾斜した状態に形成されてもよいが、その傾斜度が小さいほかない。したがって、前記吸着板が前記付着対象面ｓに載せた状態で、前記付着対象面ｓに接触する前記吸着バンド３０の接触部分が大きくなる可能性がある。また、図１の（ａ）に示すように、下部面が水平状態に形成される場合は、接触部分が極めて大きい。
【００５７】
したがって、本発明では、図４及び図５に示すように、前記吸着バンド３０の外郭に沿って突出部３１を形成させる。したがって、前記吸着板が前記付着対象面ｓに載せると、前記付着対象面ｓに接触する部分は、前記吸着バンド３０の突出部３１のみが該当する。すなわち、前記付着対象面ｓに接触する前記吸着バンド３０の接触部分を最小化することができる。
【００５８】
図５は、前記突出部３１を有する吸着バンド３０が付着対象面ｓに載せられた状態を示す。この状態は、吸着板が付着対象面ｓに接触した状態であり、外力が加えられなかった状態である。
【００５９】
この状態で、前記付着対象面ｓに接触する部分は、前記突出部３１の下端部のみであり、前記パッド１０と前記付着対象面ｓとの間に存在する空気は、前記パッド１０の中央部１１と前記付着対象面ｓとの間の空間に該当する「中央部と付着対象面との間の密閉空間ａ」と、前記パッド１０の延長部１３の下部面に付着した吸着バンド３０と前記付着対象面ｓとの間の空間に該当する「延長部と付着対象面との間の密閉空間ｂ」とに存在する空気である。
【００６０】
この状態で、使用者が前記パッド１０を加圧すると、前記中央部と付着対象面との間の密閉空間ａに存在する空気と、前記延長部と付着対象面との間の密閉空間ｂに存在する空気とは、前記突出部３１と前記付着対象面ｓとの間の隙間から外部に排出される。前記吸着板が前記付着対象面ｓに載せられた状態で、前記突出部３１の下端と付着対象面ｓとの間には、微細な間隙が形成されるほかない。
【００６１】
このように前記パッド１０が加圧されると、前記パッド１０と付着対象面ｓとの間に存在する空気は、殆ど外部に排出される。また、前記パッド１０の加圧過程で、前記吸着バンド３０は、前記付着対象面ｓに堅固に付着する。前記吸着バンド３０と付着対象面ｓとの付着力を強化するために、使用者は、前記吸着バンド３０が付着した前記延長部１３を付加的に押圧する動作を行ってもよい。
【００６２】
このような過程を通じて、前記パッド１０と前記付着対象面ｓとの間の空気を殆ど外部に排出させ、前記吸着バンド３０を前記付着対象面ｓに堅固に付着させる。その後、使用者が外力を解除すると、すなわち、パッド１０への加圧力を除去すると、前記パッド１０は、復元力により中央部分が上方向に盛り上がる。
【００６３】
前記延長部１３には、中央部１１の下端に隣接して円形切開溝１３ａが形成されるので、外力により前記中央部１１が下方向に沈み、外力を除去すると、上方向に復元力を発揮することができる。
【００６４】
このように前記パッド１０の中央部分が上方向に復元力を発揮すると、この過程で、前記パッド１０の中央部１１と前記付着対象面ｓとの間の空間に該当する中央部と付着対象面との間の密閉空間ａには、真空空間が形成される。
【００６５】
このように、本発明の吸着板によると、前記吸着バンド３０による付着対象面ｓとの付着力のみならず、前記パッド１０と付着対象面ｓとの間の空間に真空空間が形成されるので、前記吸着板と前記付着対象面ｓとの間の結合力が増加するようになる。したがって、本発明による吸着板が適用される据置台は、安定的にガラス等に固定されるという長所がある。
【００６６】
一方、本発明によるパッド１０と連結部５０とは、別途に作製され、互いに連結されてもよいが、モールド等により、同時に一体形成されることがさらに好ましい。すなわち、前記パッド１０と連結部５０とは、モールド等を通じて、同時に一体形成される。したがって、本発明による吸着板は、別途の組立過程無しに、一度の工程を通じて、パッド１０と連結部５０を一体に形成させることができるので、製造単価を低くするという長所がある。
【００６７】
本発明による前記パッド１０と連結部５０とは、多様な材質で形成させてもよい。例えば、前記パッド１０と連結部５０は、ＡＢＳ（ａｃｒｙｌｏｎｉｔｒｉｌｅ‐ｂｕｔａｄｉｅｎｅ‐ｓｔｙｒｅｎｅ）、ＰＣ（ポリカーボネート）、ＰＥ（ポリエチレン）、ＰＰ（ポリプロピレン）、ＰＶＣ（ポリ塩化ビニル）、ウレタン等の熱硬化性及び熱可塑性の材質のいずれか一つで形成されてもよい。
【００６８】
以上、本発明による実施例が説明されたが、これは、例示的なものに過ぎず、当該分野における通常の知識を有する者であれば、これに基づき、様々な変形及び均等な範囲の実施例が可能であることが理解されるだろう。したがって、本発明の真正な技術的保護範囲は、下記の特許請求の範囲により定められなければならない。
【符号の説明】
【００６９】
ａ    中央部と付着対象面との間の密閉空間
ｂ    延長部と付着対象面との間の密閉空間
ｓ    付着対象面
１０    パッド
１１    中央部
１３    延長部
１３ａ    円形切開溝
１３ｂ    線形切開溝
３０    吸着バンド
３１    突出部
５０    連結部
【図１】
0006327422.tif 000002
【図２】
0006327422.tif 000003
【図３】
0006327422.tif 000004
【図４】
0006327422.tif 000005
【図５】
0006327422.tif 000006